(57)【特許請求の範囲】
【請求項１】
記録媒体の記録面に書き込むべきデータと前記記録媒体のレーベル面に印刷されるべきレーベル情報を含む記録媒体イメージファイルから前記レーベル情報を抽出する抽出部と、
抽出された前記レーベル情報を前記記録媒体のレーベル面に印刷するレーベル情報印刷部と、
前記記録媒体イメージファイルを前記記録媒体の記録面に書き込むファイル書込み部と、
を有する、ことを特徴とするレーベル印刷装置。
【請求項２】
前記レーベル情報は、レイアウト情報とコンテンツ情報とを含む、ことを特徴とする請求項１に記載のレーベル印刷装置。
【請求項３】
前記レーベル印刷装置は、さらに所定のレイアウト情報を保存するレイアウト情報保存部を備え、前記レーベル情報にレイアウト情報が存在しないとき、前記レイアウト情報保存部に保存された前記所定のレイアウト情報にコンテンツ情報を組み込んで印刷する、ことを特徴とする請求項２に記載のレーベル印刷装置。
【請求項４】
前記コンテンツ情報が、記録日時、ＪＯＢ番号、ディスクＩＤの記録媒体作成情報を含む、ことを特徴とする請求項３に記載のレーベル印刷装置。
【請求項５】
前記レーベル情報は、レイアウト情報とデータ指定情報とを含み、
前記レーベル印刷装置が、前記データ指定情報をもとに前記データ中の特定のデータを抽出し、前記レイアウト情報に前記特定のデータを組み込んで印刷する、ことを特徴とする請求項１に記載のレーベル印刷装置。
【請求項６】
前記レーベル印刷装置は、記録媒体の記録面を参照し、前記記録媒体が書換え可能であれば、前記記録媒体のデータを消去するデータ消去部と、
前記データ消去部から前記記録媒体が書換え可能である通知を受けて、前記記録媒体のレーベル面のレーベル情報を消去するレーベル情報消去部と、
を有する、ことを特徴とする請求項１に記載のレーベル印刷装置。
【請求項７】
記録媒体の記録面に書き込むべきデータと前記記録媒体のレーベル面に印刷されるべきレーベル情報を保存している記録媒体イメージファイルから前記レーベル情報を抽出する抽出部と、
抽出された前記レーベル情報を前記記録媒体のレーベル面に印刷するレーベル情報印刷部と、
前記記録媒体イメージファイルから前記レーベル情報を分離し、前記レーベル情報が分離された記録媒体イメージファイルを前記記録媒体の記録面に書き込むファイル書込み部と、
を有する、ことを特徴とするレーベル印刷装置。
【発明の詳細な説明】
【技術分野】
【０００１】
この発明はレーベル印刷装置に関する。
【背景技術】
【０００２】
ＣＤ−Ｒ、ＣＤ−ＲＷ、ＤＶＤ−Ｒ、ＤＶＤ−ＲＷ等の書込み・書き換え可能な記録媒体のレーベル面に、自ら作成したレーベル情報（名前、整理番号、日付、画像等）を印刷するレーベル印刷装置が普及している。
従来は、コンピュータ等を用いて記録媒体にレーベル情報の印刷とデータの書込みとを行う場合、記録媒体の記録面へのデータの書込みと、レーベル面へのレーベル情報の印刷とを異なる命令で行っていた。
【発明の開示】
【発明が解決しようとする課題】
【０００３】
しかしながら、使用者がコンピュータからレーベル印刷装置に対して、データの書込み命令とレーベル印刷命令とを別々に行うことは煩雑である。
そこで、本発明は、データ書込みのインターフェースのみを使用して、データ書込み命令とレーベル印刷命令とを行い、使用者の操作の負担を低減することを目的とする。
【課題を解決するための手段】
【０００４】
本発明は上記目的を達成すべくなされたものである。すなわち、記録媒体の記録面に書き込むべきデータと前記記録媒体のレーベル面に印刷されるべきレーベル情報を保存している記録媒体イメージファイルから前記レーベル情報を抽出する抽出部と、抽出された前記レーベル情報を前記記録媒体のレーベル面に印刷するレーベル情報印刷部と、前記記録媒体イメージファイルを前記記録媒体の記録面に書き込むファイル書込み部と、を有するレーベル印刷装置を提供する。【０００５】
上記構成によれば、データとレーベル情報とを保存している記録媒体イメージファイルを取得したレーベル印刷装置は、記録媒体イメージファイルからレーベル情報を抽出し、レーベル情報印刷部がそのレーベル情報を当該記録媒体のレーベル面に印刷する。また、ファイル書込み部が記録媒体イメージファイルを当該記録媒体の記録面に書き込む。すなわち、使用者がデータとレーベル情報とを保存している記録媒体イメージファイルを作成し、この記録媒体イメージファイルをレーベル印刷装置に送信することにより、記録媒体へのレーベル情報の印刷と記録媒体イメージファイルの書込みとを行うことができる。
よって、使用者は一つの命令でデータの書込みとレーベル情報の印刷を行うことができるため、使用者の操作の負担を低減することができる。
【図面の簡単な説明】
【０００６】
【図１】図１は記録媒体イメージファイルのデータ構成（Ａ）及びそのフォルダ構造（Ｂ）を示す図である。
【図２】図２はレーベル情報を印刷する過程を示すブロック図である。
【図３】図３は実施例１で使用されるファイル形成装置とレーベル印刷装置の構成図である。
【図４】図４はレーベル印刷の動作を示すフローチャートである。
【図５】図５は実施例２で使用されるファイル形成装置とレーベル印刷装置の構成図である。
【図６】図６はレーベル印刷の動作を示すフローチャートである。
【図７】図７は実施例３で使用されるファイル形成装置とレーベル印刷装置の構成図である。
【図８】図８はレーベル印刷の動作を示すフローチャートである。
【図９】図９は実施例４で使用されるレーベル印刷装置の構成図である。
【図１０】図１０はレーベル情報を消去する動作を示すフローチャートである。
【発明を実施するための最良の形態】
【０００７】
以下、この発明の各要素について説明する。
（記録媒体イメージファイル）
記録媒体イメージファイルは、記録媒体（例えば、ＣＤ−Ｒ、ＣＤ−ＲＷ、ＤＶＤ−Ｒ、ＤＶＤ−ＲＷ等）の記録面に書き込まれる情報である。
図１（Ａ）は記録媒体イメージファイルのデータ構成である。記録媒体イメージファイルのデータ構成は、作成者、作成日付やデータの種類、データの大きさなどの情報を有するヘッダを保存するヘッダ領域と記録情報領域とを備えて構成される。記録情報領域は記録媒体の記録面に書き込まれる内容を保存する領域であり、例えば、ファイル、フォルダ構造が保存される。保存されるファイルの種類は特に限定されず、例えば、データ（テキストデータ、画像データ）、レーベル情報などが挙げられる。
図１（Ｂ）はデータ及びレーベル情報を保存したときのフォルダ構造図である。データ（テキストデータ、画像データ）はデータフォルダ内に保存され、レーベル情報はレーベル情報フォルダ内に保存される。【０００８】
記録媒体イメージファイルは一般的な記録媒体ライティングソフトを使用して作成することができる。この記録媒体ライティングソフトを使用して記録媒体イメージファイルを作成する場合、使用者は保存したいファイル（データやレーベル情報）を指定する。次に、記録媒体ライティングソフトがこれらの情報を読み出して、記録媒体イメージファイルの記録情報領域に保存し、さらにヘッダ領域に所定のヘッダを付加して記録媒体イメージファイルを作成する。このように、一般的な記録媒体ライティングソフトを使用してレーベル情報を含む記録媒体イメージファイルを作成して、そこからレーベル印刷を行う。したがって、使用者は簡単にレーベル印刷を行うことが可能となる。【０００９】
（レーベル情報）
レーベル情報は、任意の名前、画像、整理番号等を含んでなる情報であり、記録媒体のレーベル面に印刷されて、当該記録媒体の内容を示す情報として利用される。このレーベル情報は一般的なレーベル作成ソフトを使用して作成することができる。
レーベル情報の構成は特に限定されないが、ビットマップ等のイメージ情報のみから当該レーベル情報を構成することができる。その他、レーベル情報はレイアウト情報、コンテンツ情報（例えば、テキスト情報、画像情報）に分けて構成することができる。レイアウト情報は、座標・サイズ・色・フォント・傾きなどの書式を指定する情報である。そのため、レイアウト情報が決まれば、コンテンツ情報を変更するだけで、容易にレーベル情報の変更をすることができる。
また、コンテンツ情報として、テキスト情報、画像情報の代わりに記録媒体作成情報を利用することもできる。記録媒体作成情報は、データ固有の情報であり、例えば、当該データの記録日時、対象フォルダ、ＪＯＢ番号、ディスクＩＤ等の情報で構成される。
なお、レーベル情報のファイル形式は特に限定されず、例えば、ＸＭＬ、ＪＰＥＧ、ビットマップ等が挙げられる。【００１０】
また、レーベル情報において、コンテンツ情報の代わりに又は併存してデータ指定情報を用いることができる。このデータ指定情報はレーベル情報が保存されるファイル以外のファイルを指定し、当該ファイルの内容をコンテンツ情報として取り込むことを可能にするものである。【００１１】
（レーベル印刷装置）
レーベル印刷装置は、記録媒体イメージファイルを受信してレーベル情報を抽出する抽出部と、抽出されたレーベル情報を記録媒体のレーベル面に印刷するレーベル情報印刷部と、記録媒体イメージファイルを記録媒体の記録面に書き込むファイル書込み部とを備える。レーベル印刷装置は、記録媒体イメージファイルを作成するファイル形成装置とネットワークで接続されており、記録媒体イメージファイルを受信可能な状態にある。【００１２】
抽出部は記録媒体イメージファイルからレーベル情報を抽出する。レーベル情報を抽出する方法は、記録媒体イメージファイルから特定のファイル名、フォルダ名、拡張子を指定して抽出を行う。例えば、記録媒体イメージファイルの記録情報領域に保存されたファイルの中から、ファイル名「Label.bmp」を指定して抽出を行う。抽出されたレーベル情報はレーベル情報印刷部へ送られる。レーベル情報印刷部はレーベル情報をもとに記録媒体のレーベル面にレーベル情報を印刷する。記録媒体のレーベル面へのレーベル情報の印刷方法は特に限定されないが、例えば、インクジェット方式、昇華方式等が挙げられる。【００１３】
ファイル書込み部は抽出部から送られてきた記録媒体イメージファイルを記録媒体の記録面に書き込む。記録媒体の記録面への書込み方法は、特に限定されないが、例えば、一度のみの書込みを行うことのできるＣＤ−Ｒは、その記録面に、通常、有機色素が塗布されてあり、レーザーによってその有機色素を変性させることでデータを記録する。また、複数回の書込み／書換えを行うことのできるＣＤ−ＲＷは、その記録面が相変化記録材料を使用している。記録面に照射されるレーザーの出力を変化させることによって、この材料は結晶状態又は非結晶状態となる。結晶状態と非結晶状態とでは、光の反射率が異なることから、これを利用してデータの消去又は記録を行う。
記録媒体の記録面に書き込まれる記録媒体イメージファイルは、データの他にレーベル情報も含んでいるが、余分なデータを書き込まないために、記録媒体イメージファイルからレーベル情報を削除して書き込むこともできる。【００１４】
なお、記録媒体のレーベル面へのレーベル情報の印刷と、記録媒体の記録面へのデータ等の書き込みの順序は特に限定されず、例えば、レーベル面にレーベル情報を印刷した後、記録面にデータを書き込んでも良いし、レーベル情報の印刷とデータの書込みを同時に行っても良い。【００１５】
以下に、上記各要素を使用したレーベル印刷の概略を説明する。
図２はレーベル情報を記録媒体に印刷する過程を示すブロック図である。本図は、記録媒体イメージファイルを作成するファイル形成装置１０と、その記録媒体イメージファイルからレーベル情報を抽出して記録媒体に印刷するレーベル印刷装置２０とから構成される。
ファイル形成装置１０はレーベル情報作成部１１と、レーベル情報保存部１２と、データ保存部１３と、記録媒体ライティング部１４とを備える。レーベル印刷装置２０は抽出部２１と、レーベル情報印刷部２２と、ファイル書込み部２３とを備える。ファイル形成装置１０とレーベル印刷装置２０とはネットワークを介して通信可能な状態にある。【００１６】
レーベル情報作成部１１は記録媒体のレーベル面に印刷されるレーベル情報を作成する。レーベル情報作成部１１で作成されたレーベル情報は、一度レーベル情報保存部１２に保存される。一方、データ保存部１３は、記録媒体の記録面に書き込まれるべきデータ（テキストデータや画像データなどのデータ）が保存されている。記録媒体ライティング部１４は、これらのレーベル情報保存部１２及びデータ保存部１３に保存されたレーベル情報やデータを読み込んで記録媒体イメージファイルを作成する。作成された記録媒体イメージファイルはレーベル印刷装置２０へ送信される。【００１７】
記録媒体イメージファイルを取得したレーベル印刷装置２０は、抽出部２１が記録媒体イメージファイルの中の特定のファイル名を指定することでレーベル情報を抽出する。抽出されたレーベル情報はレーベル情報印刷部２２へと送られ、レーベル情報印刷部２２が記録媒体にレーベル情報を印刷する。また、抽出部２１は記録媒体イメージファイルをファイル書込み部２３へと送り、記録媒体２４の記録面に記録媒体イメージファイルを書き込む。
このように、使用者はファイル形成装置１０の書込み操作を行うだけで、簡単にレーベル印刷及び記録媒体イメージファイルの書込みを行うことができる。
【実施例１】
【００１８】
以下、この発明の実施例について説明する。
図３は本発明の実施例であるファイル形成装置１００とレーベル印刷装置２００の構成図である。
ファイル形成装置１００は、制御部１１０と、データ保存部１４０とで概略構成される。また、レーベル印刷装置２００は、制御部２１０と、抽出部２２０と、レーベル情報印刷部２３０と、ファイル書込み部２４０と、データ保存部２５０とで概略構成される。ファイル形成装置１００及びレーベル印刷装置２００はそれぞれネットワークインターフェース（１５０、２６０）とを備えており、ファイル形成装置１００からレーベル印刷装置２００へデータの送信が可能な状態にある。【００１９】
制御部１１０はＣＰＵ１１１を備える。ファイル形成装置１００に備えられる各要素はバスラインを介してこのＣＰＵ１１１に接続され、その制御を受ける。ＣＰＵ１１１を動作させるためのコンピュータプログラムはプログラム保存領域１４１に保存されており、ＣＰＵ１１１は当該プログラムを読み出して所定の動作を行う。
入力部１２０はキーボードやマウスなどの入力装置が接続され、ファイル形成装置１００を操作するために使用される。
出力部１３０はディスプレイなどの映像装置が接続される。
データ保存部１４０はプログラム保存領域１４１と、レーベル情報保存領域１４２と、データ保存領域１４３とを備える。プログラム保存領域１４１はＣＰＵ１１１を制御するために必要なプログラムが保存される。レーベル情報保存領域１４２にはレーベル情報が保存される。このレーベル情報はレーベル作成ソフトを使用して作成される。また、データ保存領域１４３は記録媒体の記録面に書き込まれるべきデータが保存される領域であり、テキストデータ、画像データ等が保存される。【００２０】
一方、レーベル印刷装置２００の制御部２１０はＣＰＵ２１１を備え、レーベル印刷装置２００に備えられる各要素はバスラインを介して制御される。ＣＰＵ２１１を動作させるためのコンピュータプログラムはデータ保存部２５０のプログラム保存領域２５１に保存されており、ＣＰＵ２１１は当該プログラムを読み出して所定の動作を行う。
抽出部２２０は記録媒体イメージファイルからレーベル情報を抽出する。抽出する方法は、記録媒体イメージファイルの記録情報領域に保存されたファイルの中から特定のファイル名を指定してレーベル情報を抽出する。
レーベル情報印刷部２３０は抽出されたレーベル情報を記録媒体のレーベル面に印刷する。印刷方式は記録媒体に対する低衝撃力、印刷速度等の観点からインクジェット方式を採用する。
ファイル書込み部２４０はデータ保存部２５０に保存された記録媒体イメージファイルを読み込んで記録媒体の記録面に書込みを行う。また、ファイル書込み部２４０は記録媒体イメージファイルに保存された記録情報の中からレーベル情報を分離し、レーベル情報が分離された記録媒体イメージファイルを記録媒体の記録面に書き込むことができる。
データ保存部２５０はプログラム保存領域２５１と記録媒体イメージファイル保存領域２５２とを備える。プログラム保存領域２５１はＣＰＵ２１１を制御するために必要なプログラムを保存する領域である。記録媒体イメージファイル保存領域２５２はファイル形成装置１００から送られてきた記録媒体イメージファイルを保存する領域である。【００２１】
以下に、ファイル形成装置１００及びレーベル印刷装置２００の動作について説明する。
図４はイメージファイルからレーベル印刷を行う動作を示すフローチャートである。
入力部１２０の操作により記録媒体の記録面に書き込むデータを準備し（ステップ１）、データ保存領域１４３に当該データを保存する（ステップ３）。次に、レーベル作成ソフトを実行することによりレーベル情報を作成し（ステップ５）、レーベル情報保存領域１４２にレーベル情報を保存する（ステップ７）。続いて、記録媒体ライティングソフトを実行することにより、データ保存領域１４３からデータを読み出し、また、レーベル情報保存領域１４２からレーベル情報を読み出して、それを記録媒体イメージファイルの記録情報領域に保存して、記録媒体イメージファイルを作成する（ステップ９）。作成された記録媒体イメージファイルはネットワークを介してレーベル印刷装置２００に送信される（ステップ１１）。
レーベル印刷装置２００は記録媒体イメージファイルを受信した後（ステップ１３）、当該記録媒体イメージファイルをデータ保存部２５０の記録媒体イメージファイル保存領域２５２に保存する（ステップ１５）。次に、抽出部２２０が記録媒体イメージファイルの特定のファイル名を指定してレーベル情報を抽出する（ステップ１７）。抽出されたレーベル情報はレーベル情報印刷部２３０へ送られ、レーベル情報印刷部２３０が記録媒体のレーベル面にレーベル情報を印刷する（ステップ１９）。続いて、ファイル書込み部２４０は記録媒体イメージファイル保存領域２５２から記録媒体イメージファイルを読み出す。記録媒体に書き込まれるデータにレーベル情報が必要であれば（ステップ２１；Ｎ）、そのまま記録媒体イメージファイルが記録媒体の記録面に書き込まれる（ステップ２３）。レーベル情報が必要でなければ（ステップ２１；Ｙ）、記録媒体イメージファイルからレーベル情報を分離し（ステップ２５）、レーベル情報が分離された記録媒体イメージファイルを記録媒体の記録面に書き込む（ステップ２７）。【００２２】
以上のように、本実施例のレーベル印刷装置を使用することにより、使用者はファイル形成装置の書込み操作を行うだけで、簡単にレーベル印刷及び記録媒体イメージファイルの書込みを行うことができる。
【実施例２】
【００２３】
図５は他の実施例であるファイル形成装置３００とレーベル印刷装置４００の構成図である。実施例１と同一の要素には同一の符号を付してその説明を省略する。
ファイル形成装置３００のレーベル情報保存領域３４２をレイアウト情報保存領域３４４とコンテンツ情報保存領域３４５とに分けて構成する。これにより、レーベル情報の構成をレイアウト情報とコンテンツ情報とに分けて作成することができる。
一方、レーベル印刷装置４００のデータ保存部４５０はプログラム保存領域２５１と、記録媒体イメージファイル保存領域２５２と、所定のレイアウト情報保存領域４５３とで構成される。【００２４】
以下に、ファイル形成装置３００及びレーベル印刷装置４００の動作について説明する。
図６は記録媒体イメージファイルからレーベル印刷を行う動作を示すフローチャートである。
入力部１２０の操作により記録媒体の記録面に書き込むデータを準備し（ステップ３１）、データ保存領域１４３にデータを保存する（ステップ３３）。次に、レーベル作成ソフトを実行することによりレーベル情報をレイアウト情報とコンテンツ情報とに分けて作成し（ステップ３５）、それらをレイアウト情報保存領域３４４とコンテンツ情報保存領域３４５とに分けて保存する（ステップ３７）。続いて、記録媒体ライティングソフトを実行することにより、データ保存領域１４３からデータを読み出し、また、レイアウト情報保存領域３４４とコンテンツ情報保存領域３４５からレイアウト情報、コンテンツ情報を読み出して、それらを記録媒体イメージファイルの記録情報領域に保存して、記録媒体イメージファイルを作成する（ステップ３９）。レイアウト情報が存在しない場合は、コンテンツ情報のみを読み出して記録媒体イメージファイルを作成する。作成された記録媒体イメージファイルはネットワークを介してレーベル印刷装置４００に送信される（ステップ４１）。
レーベル印刷装置４００は記録媒体イメージファイルを受信した後（ステップ４３）、当該記録媒体イメージファイルを記録媒体イメージファイル保存領域２５２に保存する（ステップ４５）。次に、抽出部２２０が記録媒体イメージファイルの中から特定のファイル名を指定してレーベル情報を抽出する（ステップ４７）。抽出されたレーベル情報にレイアウト情報が存在するのであれば（ステップ４９；Ｙ）、レイアウト情報により指定される座標にコンテンツ情報を合成してレーベル情報を作成し、このレーベル情報を印刷する（ステップ５５）。一方、抽出されたレーベル情報にレイアウト情報が存在しないのであれば（ステップ４９；Ｎ）、所定のレイアウト情報保存領域４５３から所定のレイアウト情報を読み出し（ステップ５１）、これにコンテンツ情報を合成してレーベル情報を作成する（ステップ５３）。作成されたレーベル情報は印刷される（ステップ５５）。レーベル印刷が終わった後、ファイル書込み部２４０は記録媒体イメージファイル保存領域２５２から記録媒体イメージファイルを読み出して記録媒体の記録面に書込みを行う（ステップ５７）。【００２５】
以上のように、本実施例のレーベル印刷装置を用いることにより、レーベル情報にレイアウト情報が存在しない場合でも、所定のレイアウト情報を読み出して、それにコンテンツ情報を合成してレーベル情報を作成することができる。
本実施例のレーベル印刷装置を用いることにより、例えば、定型化したデータ処理を行う場合（電子カルテデータを取り扱い場合）、所定のレイアウト情報をもとに、画像情報（患者の顔の画像情報等）やテキスト情報（患者名、作成日等）を変更するだけで簡単にレーベル印刷を行うことができる。
なお、本実施例で使用するコンテンツ情報として、記録日時、ＪＯＢ番号、シリアル番号等で構成される記録媒体作成情報を使用することもできる。
【実施例３】
【００２６】
図７は他の実施例であるファイル形成装置５００とレーベル印刷装置６００の構成図である。実施例１と同一の要素には同一の符号を付してその説明を省略する。
ファイル形成装置５００のレーベル情報保存領域５４２は、レイアウト情報保存領域５４４を含んで構成される。このレイアウト情報保存領域５４４はデータ指定情報保存領域５４５を含んで構成される。データ指定情報保存領域５４５は、記録媒体イメージファイルのデータフォルダ内にある特定のデータ（テキストデータや画像データなどのコンテンツデータ）を指定する情報（例えば、リンク先の情報）が保存される領域である。なお、この特定のデータを指定する情報をデータ指定情報とする。【００２７】
以下に、ファイル形成装置５００及びレーベル印刷装置６００の動作について説明する。
図８はイメージファイルからレーベル印刷を行う動作を示すフローチャートである。
入力部１２０の操作により記録媒体の記録面に書き込むデータを準備し（ステップ６１）、データ保存領域１４３にデータを保存する（ステップ６３）。次に、レーベル作成ソフトを実行することによりデータ指定情報を含むレイアウト情報を作成し（ステップ６５）、レイアウト情報保存領域５４４にレイアウト情報を保存する（ステップ６７）。続いて、記録媒体ライティングソフトを実行することにより、データ保存領域１４３からデータを読み出し、また、レーベル情報保存領域５４２のレイアウト情報保存領域５４４からレイアウト情報を読み出して、それを記録媒体イメージファイルの記録情報領域に保存して、記録媒体イメージファイルを作成する（ステップ６９）。作成された記録媒体イメージファイルはネットワークを介してレーベル印刷装置６００に送信される（ステップ７１）。
レーベル印刷装置２００は記録媒体イメージファイルを受信した後（ステップ７３）、当該記録媒体イメージファイルを記録媒体イメージファイル保存領域２５２に保存する（ステップ７５）。次に、抽出部２２０が記録媒体イメージファイルの中からデータ指定情報を抽出し、そのデータ指定情報をもとに、データ（コンテンツデータ）を抽出する（ステップ７７）。このデータとレイアウト情報とが合成されてレーベル情報が作成される（ステップ７９）。作成されたレーベル情報はレーベル情報印刷部２３０へ送られ、レーベル情報印刷部２３０が記録媒体にレーベル情報を印刷する（ステップ８１）。一方、ファイル書込み部２４０は記録媒体イメージファイル保存領域２５２から記録媒体イメージファイルを読み出して記録媒体の記録面に書込みを行う（ステップ８３）。【００２８】
以上のように、レーベル印刷装置へ送信される記録媒体イメージファイルを、データとデータ指定情報を含むレイアウト情報とに分けて作成することでも、レーベル印刷することが可能となる。これにより、レーベル情報作成時にコンテンツ情報を用意する必要がなくなる。よって、使用者は簡単にレーベル印刷をすることができる。
【実施例４】
【００２９】
図９は他の実施例であるレーベル印刷装置７００の構成図である。実施例１と同一の要素には同一の符号を付してその説明を省略する。
レーベル印刷装置７００は、データ消去部７１０とレーベル情報消去部７２０とを備える。
データ消去部７１０は既に記録媒体の記録面に書き込まれているデータを消去する。
レーベル情報消去部７２０は記録媒体のレーベル面に白色の塗料を塗布することにより、レーベル情報を消去する。【００３０】
以下に、レーベル印刷装置７００の動作を説明する。
図１０は書換え可能な記録媒体がレーベル印刷装置７００に収納された場合のレーベル面を消去する動作を示すフローチャートである。
レーベル印刷装置７００に記録媒体が収納されたとき（ステップ９１）、データ消去部７１０が記録媒体の記録面を参照し（ステップ９３）、当該記録媒体が書換え可能な記録媒体であるかを判断する（ステップ９５）。書換え可能であれば（ステップ９５；Ｙ）、データ消去部７１０は記録媒体のデータを消去する（ステップ９７）。書換え可能でなければ（ステップ９５；Ｎ）、レーベル印刷装置７００の動作は終了する。続いて、データ消去部７１０はレーベル情報消去部７２０に対して当該記録媒体が書換え可能な記録媒体である情報を通知し（ステップ９９）、その通知を受けたレーベル情報消去部７２０は当該記録媒体のレーベル面を消去する（ステップ１０１）。
これにより、当該記録媒体は新しいデータの書込みとレーベル印刷が可能な状態となる。
その他の動作は図３の例と同一である。【００３１】
以上のように、本実施例のレーベル印刷装置を使用すれば、書換え可能な記録媒体の場合、そのデータ及びレーベル情報を消去することにより、当該記録媒体は、新しいデータの書込み及びレーベル印刷を行うことができる状態となる。【００３２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図１】
0004793384.tif 000002
【図２】
0004793384.tif 000003
【図３】
0004793384.tif 000004
【図４】
0004793384.tif 000005
【図５】
0004793384.tif 000006
【図６】
0004793384.tif 000007
【図７】
0004793384.tif 000008
【図８】
0004793384.tif 000009
【図９】
0004793384.tif 000010
【図１０】
0004793384.tif 000011